(57)【要約】【課題】排水性能を高めて、室内への雨水の浸入を確実に防止することができるオーバーフロー管およびオーバーフロー排水構造を提供する。【解決手段】バルコニー３の壁（立上り壁６）に設けられ、排水ドレイン管４からオーバーフローした水を排水するオーバーフロー管３０であって、水平方向に長い長方形形状の断面を有する排水管３１と、この排水管３１の上流側端部３１ａに設けられたフランジ部３２と、を備えたオーバーフロー管３１を、排水管３１の上流側端部３１ａが、バルコニー３に開口するサッシ８の下端部よりも下方に位置するように、バルコニー３の壁面に取り付けた。【選択図】図３
2008127846.tif 000002
【特許請求の範囲】
【請求項１】
バルコニーの壁に設けられ、排水ドレイン管からオーバーフローした水を排水するオーバーフロー管であって、
水平方向に長い長方形形状の断面を有する排水管と、
この排水管の上流側端部に設けられたフランジ部と、を備えた
ことを特徴とするオーバーフロー管。
【請求項２】
前記排水管は、前記フランジ部に対して所定角度傾斜して形成された
ことを特徴とする請求項１に記載のオーバーフロー管。
【請求項３】
前記排水管は、前記バルコニーの壁厚よりも所定長さ長く形成された
ことを特徴とする請求項１または請求項２に記載のオーバーフロー管。
【請求項４】
前記フランジ部に、目荒し加工が施された
ことを特徴とする請求項１乃至請求項３のいずれか１項に記載のオーバーフロー管。
【請求項５】
水平方向に長い長方形形状の断面を有する排水管と、この排水管の上流側端部に設けられたフランジ部と、を備えたオーバーフロー管を、
前記排水管の上流側端部が、バルコニーに開口するサッシの下端部よりも下方に位置するように、前記バルコニーの壁に取り付けた
ことを特徴とするオーバーフロー排水構造。
【請求項６】
前記オーバーフロー管は、前記排水管が前記フランジ部に対して所定角度傾斜して形成されており、前記排水管の下流側端部が上流側端部よりも下方に位置するように、前記バルコニーの壁に取り付けられた
ことを特徴とする請求項５に記載のオーバーフロー排水構造。
【請求項７】
前記オーバーフロー管は、前記排水管が前記バルコニーの壁厚よりも所定長さ長く形成されており、前記排水管の下流側端部が前記バルコニーの壁面よりも外方に突出するように、前記バルコニーの壁面に取り付けられた
ことを特徴とする請求項５または請求項６に記載のオーバーフロー排水構造。
【発明の詳細な説明】
【技術分野】
【０００１】
本発明は、バルコニーで排水ドレイン管からオーバーフローした水を排水するためのオーバーフロー管およびオーバーフロー排水構造に関する。
【背景技術】
【０００２】
一般に、床面に防水層が形成されたバルコニーには、水勾配が設けられており、その水勾配の水下側には、排水ドレイン管が設けられている。そして、バルコニーに降った雨水などは、水勾配に沿って水下側に流れ、排水ドレイン管から適宜排水されるようになっている。
【０００３】
しかし、このように排水ドレイン管を設けていても、台風のような強風大雨時には、木の葉やゴミなどが排水ドレイン管の排水口に溜まって、排水ドレイン管を塞いでしまう場合がある。このように、排水ドレイン管が塞がれてしまうと、バルコニー内で雨水が溜まってオーバーフローして、バルコニーに開口する掃出し窓などのサッシから雨水が室内に浸入してしまうおそれがあった。
【０００４】
このような非常時の対策として、オーバーフロー管が設けられている（例えば、特許文献１参照）。図１０に示すように、従来のオーバーフロー管８１は、断面円形のパイプ材８２の一端に円盤状のフランジ部８３が形成されている。オーバーフロー管８１は、通常排水用の排水ドレイン管よりも所定高さ高い位置に設けられており、オーバーフロー管８１の高さまで溜まった雨水などを排水するようになっている。
【特許文献１】特開２００５−２６４５３９号公報（図１）
【発明の開示】
【発明が解決しようとする課題】
【０００５】
しかしながら、前記した従来のオーバーフロー管８１のパイプ材８２は、バルコニーの壁への穴あけ加工や取付け作業の施工性の観点から、汎用の硬質塩化ビニル管や金属管などで構成されており、その形状は単純な円筒形であり、建物の外観上の配慮から管径の小さいものが採用されていた。そのため、排水量は少なく基本的な排水性能が不足している上に、断面円形の排水路の特性として、水位がオーバーフロー管８１のパイプ材８２の上端を越えないと排水路の断面積に相当する本来の排水性能が発現しない。したがって、排水ドレイン管が木の葉やゴミなので塞がれてしまって、降雨量が非常に多い場合には、溜まった雨水の水位が、オーバーフロー管８１の高さよりも高くなって、サッシ下端レベルを超えて、室内に雨水が浸水してしまうおそれがあるといった問題があった。
【０００６】
なお、従来のオーバーフロー管８１は、施工性や経済性の観点から、バルコニーの壁を水平に貫通しているので、壁面を伝ってきた雨水が内部側へ引き込まれてしまう場合があるといった問題もあった。
【０００７】
そこで、本発明は、前記の問題を解決するためになされたものであり、排水性能を高めて、室内への雨水の浸入を確実に防止することができるオーバーフロー管およびオーバーフロー排水構造を提供することを課題とする。
【課題を解決するための手段】
【０００８】
前記課題を解決するための請求項１に係る発明は、バルコニーの壁に設けられ、排水ドレイン管からオーバーフローした水を排水するオーバーフロー管であって、水平方向に長い長方形形状の断面を有する排水管と、この排水管の上流側端部に設けられたフランジ部と、を備えたことを特徴とするオーバーフロー管である。
【０００９】
ここでいうバルコニーとは、通常のバルコニーやベランダの他に、外部に通じる出入口が設けられた屋上や屋根も含むものとする。
【００１０】
前記構成によれば、排水管の排水口を水平方向に長い長方形の角型形状としたことによって、開口幅を広くすることができるとともに、高さ寸法を小さくすることができる。これによって、水位が低い状態でも十分な量の雨水を排水することができ、室内に雨水などが浸入するのを確実に防止することができる。すなわち、従来のオーバーフロー管８１（図１０参照）は、排水ドレイン管が詰まる可能性は低いことを前提としており、排水管の断面積が小さかったのに対して、本発明のオーバーフロー管は、排水ドレイン管が詰まってオーバーフローしても、排水管の排水口を水平方向に長い長方形の角型形状として、確実に対処できるようにしている点で、従来のオーバーフロー管とは思想が大きく異なる。すなわち、従来のオーバーフロー管８１は、単に非常用として設けられているのに対して、本発明のオーバーフロー管は実用的なものである。また、排水管の上流側端部にフランジ部が形成されているので、取付け作業を容易に行うことができる。
【００１１】
請求項２に係る発明は、前記排水管が、前記フランジ部に対して所定角度傾斜して形成されたことを特徴とする請求項１に記載のオーバーフロー管である。
【００１２】
前記構成によれば、排水管の下流側端部を上流側端部よりも下方になるように配置できるので、雨水は、排水管の傾斜に沿って外側に流れることとなり、雨水が内部側へ逆流するのを防止することができる。さらに、排水管を傾斜して取り付ける作業を容易に行うことができ、施工性が高い。
【００１３】
請求項３に係る発明は、前記排水管が、前記バルコニーの壁厚よりも所定長さ長く形成されたことを特徴とする請求項１または請求項２に記載のオーバーフロー管である。
【００１４】
前記構成によれば、排水管の下流側端部が、バルコニーの壁面から突出するように、取り付けることができるので、バルコニーの外側壁面を伝ってきた雨水が排水管の内部に浸入するのを防止することができる。さらに、雨水は、排水管の下流側端部から滴下することとなるので、水が壁面を垂れ流れることによる筋状の汚れが発生するのを防止できる。
【００１５】
請求項４に係る発明は、前記フランジ部に、目荒し加工が施されたことを特徴とする請求項１乃至請求項３のいずれか１項に記載のオーバーフロー管である。
【００１６】
前記構成によれば、フランジ部とバルコニーの内側壁面に設けられる防水層との接着性を高めることができ、バルコニーの施工精度と施工性の向上を達成することができる。
【００１７】
請求項５に係る発明は、水平方向に長い長方形形状の断面を有する排水管と、この排水管の上流側端部に設けられたフランジ部と、を備えたオーバーフロー管を、前記排水管の上流側端部が、バルコニーに開口するサッシの下端部よりも下方に位置するように、前記バルコニーの壁に取り付けたことを特徴とするオーバーフロー排水構造である。
【００１８】
前記構成によれば、水管の排水口を水平方向に長い長方形の角型形状としたことによって、開口幅を広くすることができるとともに、高さ寸法を小さくすることができる。これによって、水位が低い状態でも十分な量の雨水を排水することができる。さらに、排水管の上流側端部がバルコニーに開口するサッシの下端部よりも下方に位置するように、オーバーフロー管がバルコニーの壁に取り付けられているので、室内に雨水などが浸入するのを確実に防止することができる。また、排水管の上流側端部にフランジ部が形成されているので、オーバーフロー管の取付け作業を容易に行うことができる。
【００１９】
請求項６に係る発明は、前記オーバーフロー管が、前記排水管が前記フランジ部に対して所定角度傾斜して形成されており、前記排水管の下流側端部が上流側端部よりも下方に位置するように、前記バルコニーの壁に取り付けられたことを特徴とする請求項５に記載のオーバーフロー排水構造である。
【００２０】
前記構成によれば、バルコニーの内側で溜まった雨水を、排水管の傾斜に沿って外側に円滑に流すことができ、雨水がバルコニーの内部側へ逆流するのを防止することができる。
【００２１】
請求項７に係る発明は、前記オーバーフロー管が、前記排水管が前記バルコニーの壁厚よりも所定長さ長く形成されており、前記排水管の下流側端部が前記バルコニーの壁面よりも外方に突出するように、前記バルコニーの壁に取り付けられたことを特徴とする請求項５または請求項６に記載のオーバーフロー排水構造である。
【００２２】
前記構成によれば、排水管の下流側端部が、バルコニーの壁面から突出するように、取り付けられているので、バルコニーの外側壁面を伝ってきた雨水が排水管の内部に浸入するのを防止することができる。さらに、排水管を流れてきた雨水は、排水管の下流側端部から滴下することとなるので、水が壁面を垂れ流れることによる筋状の汚れが壁面に発生するのを防止できる。
【発明の効果】
【００２３】
本発明によれば、排水性能を高めて、室内への雨水の浸入を確実に防止することができるといった優れた効果を発揮する。
【発明を実施するための最良の形態】
【００２４】
本発明を実施するための最良の形態について図面を参照しながら詳細に説明する。説明において、同一の要素には同一の番号を付し、重複する説明は省略する。
【００２５】
図１は本発明に係るオーバーフロー排水構造を備えたバルコニーを示した斜視図、図２は図１のバルコニーを内側から見た斜視図、図３は本発明に係るオーバーフロー排水構造を備えたバルコニーを示した断面図、図４は本発明に係るオーバーフロー管を示した斜視図、図５は本発明に係るオーバーフロー管を示した側面図である。なお、本実施の形態では、木造住宅のバルコニーにオーバーフロー排水構造を設けた例を挙げて説明する。
【００２６】
図１に示すように、本実施の形態に係るオーバーフロー排水構造１は、木造住宅２のバルコニー３に形成されており、排水ドレイン管４からオーバーフローした雨水などを、バルコニー３の外側に排水する役割を果たしている。バルコニー３は、屋外床５と、この屋外床５の外側の外周縁に立設された立上り壁６とを備えて構成されている。バルコニー３が設置される部分の外壁７には、例えば、掃出し窓用のサッシ８が設けられており、このサッシ８が、バルコニー３への出入口を構成している。
【００２７】
本実施の形態においては、屋外床５は、二階部分のバルコニー３の床を構成するとともに、一階部分の屋根を構成するものである。屋外床５は、平面視長方形状を呈しており、サッシ８が設けられた外壁７側から、バルコニー３の先端側に向かって雨水が流れるように、水勾配ｉが形成されている。なお、本実施の形態では、水勾配ｉは、外壁７からバルコニー３の先端側への一方向のみであって、水勾配ｉと直交する方向には勾配は設けられていない。
【００２８】
図３に示すように、屋外床５は、下方から順に、構造材である床組体１１と、水勾配ｉを形成するための勾配形成層１２と、防水層１３とを積層して構成されている。床組体１１は、例えば、根太１１ａや合板１１ｂなどの部材を組み合わせて構成した構造体である。勾配形成層１２は、例えば、特開平１１−１７２８６４号公報に記載されているような
側面視台形状を呈する発泡樹脂製のブロック１２ａとその上面に設けられた合板１２ｂとで構成されており、床組体１１の上面に敷設されている。防水層１３は、例えば、ＦＲＰ（Ｆｉｂｅｒ  Ｒｅｉｎｆｏｒｃｅｄ  Ｐｌａｓｔｉｃ）防水、シート防水、アスファルト防水、ウレタン塗膜防水などにより構成されている。本実施の形態では、シート防水が採用されており、勾配形成層１２の上面に防水シート１３ａが敷設され、その表面に塗布防水層１３ｂが形成され、さらにその表面に仕上げ層１３ｃが形成されている。この防水層１３は、サッシ８および後記する立上り壁６の水切り金物１８の裏面まで延出する立上り部１０が形成されている。
【００２９】
立上り壁６は、図３に示すように、角材を枠状に組み付けて構成されるフレーム１４ａと、このフレーム１４ａの厚さ方向両側に貼り付けられた合板１４ｂとで構成された枠組体１４と、この枠組体１４の両側面に貼り付けられた防水紙１５と、この防水紙１５の表面（枠組体１４の逆側の外側面）に胴縁（図示せず）を介して取り付けられた外装材１６とを有している。これら枠組体１４、防水紙１５および外装材１６の上端には、これらを上部から覆う笠木１７が設けられている。外装材１６の下端部には、水切り金物１８が設けられている。
【００３０】
図１乃至図３に示すように、水勾配ｉの水下に位置する立上り壁６の基端部には、バルコニー３に降った雨水などを排水するための排水ドレイン管４が設けられている。排水ドレイン管４は、水勾配ｉの下流側の立上り壁６の基端部に形成された貫通孔に挿通して設けられている。図２に示すように、縦方向に延出して設けられ、横方向に所定のピッチで配設されたフレーム１４ａの縦枠１４ｃ間のうちの、水勾配ｉの水下に位置する立上り壁６の両側部分に、排水ドレイン管４は配置されている。
【００３１】
図３に示すように、排水ドレイン管４は、円筒形状を呈する排水管２０と、排水管２０の上流側端部に設けられたフランジ部２１とを備えている。図２示すように、フランジ部２１は、排水管２０の上流側端部の開口部から上方および側方両側に延出する上部フランジ２１ａと、排水管２０の上流側端部の開口部の底部から、水勾配ｉの水上側へと屈曲されて延出する底部フランジ２１ｂとで構成されている。排水ドレイン管４は、上部フランジ２１ａの裏面が枠組体１４の合板１４ｂの表面に当接するとともに、底部フランジ２１ｂが床組体１１の上面に当接するように配置されている。底部フランジ２１ｂの表面（上面）は、屋外床５の防水層１３によって覆われている。
【００３２】
排水管２０の下流側端部は、立上り壁６から外方へ突出しており、その下方には、雨水などの排水を集めて地上に流す雨樋２２が設けられている。雨樋２２は、複数配列された排水管２０の下流側端部下方に配置された横樋２２ａと、この横樋２２ａに接続された縦樋２２ｂとで構成されている。横樋２２ａは、上部が開放された断面Ｕ字状の長尺部材にて構成され、縦樋２２ｂは、パイプ部材にて構成されている。
【００３３】
次に、本実施の形態に係るオーバーフロー管およびオーバーフロー排水構造の構成を説明する。
【００３４】
図３および図４に示すように、かかるオーバーフロー排水構造１は、水平方向に長い長方形形状の断面を有する排水管３１と、この排水管３１の上流側端部３１ａに設けられたフランジ部３２と、を備えたオーバーフロー管３０を、排水管３１の上流側端部３１ａが、バルコニー３に開口するサッシ８の下端部よりも下方に位置するように、バルコニー３の壁に取り付けたことを特徴とする。
【００３５】
図３および図４に示すように、オーバーフロー管３０は、排水管３１とフランジ部３２とを備えて構成されている。オーバーフロー管３０は、例えば、アルミニウムやステンレスなどの、軽量で耐錆性能に優れている材質にて形成されている。図４に示すように、排水管３１は、断面長方形の角パイプ材にて構成されている。角パイプ材の内形寸法は、例えば、幅８５ｍｍ、高さ２０ｍｍとなっている。排水管３１の一端（上流側端部３１ａ）には、プレートから構成されるフランジ部３２が形成されている。フランジ部３２は、水平方向に長い長方形形状を呈しており、排水管３１の側面から上下左右に略同じ長さで延出するように構成されている。フランジ部３２は、排水管３１の端部に溶接にて接合されている。
【００３６】
図５に示すように、排水管３１は、フランジ部３２に対して所定角度傾斜して形成されている。具体的には、フランジ部３２に対して直交する方向と比較して、例えば１０度程度の勾配あるいはそれ以上の急な勾配となるように傾斜している。このように、排水管３１が１０度以上傾斜していれば、その内周面に雨水が付着することなく、効率的に排水することができる。
【００３７】
図４（ａ）に示すように、排水管３１は、その下流側端部３１ｂの上側が切り欠かれており、排水管３１の下流側端部３１ｂの面がフランジ部３２と平行になるように構成されている。これによって、排水管３１の下流側端部３１ｂの面が壁面と平行となり、美観が向上する。
【００３８】
排水管３１は、バルコニー３の立上り壁６の壁厚よりも所定長さ長く形成されている。具体的には、図３に示すように、オーバーフロー管３０を立上り壁６に設置したときに、排水管３１の下流側端部３１ｂがバルコニー３の立上り壁６の外側の壁面（外装材１６の表面）よりも外方に突出するように構成されている。
【００３９】
フランジ部３２は、その表面および裏面に目荒し加工が施されている。具体的には、サンディングやショットブラスト加工を行うことによって、フランジ部３２の表面が目荒しされており、屋外床５の防水層１３との接合性能を高めるようになっている。
【００４０】
図３に示すように、前記構成のオーバーフロー管３０を立上り壁６に取り付けるに際しては、予め立上り壁６の枠組体１４の所定の位置に貫通孔３４を形成しておく。そして、まず、屋外床５の床組体１１の端部に立上り壁６の枠組体１４を立設して、床組体１１の上に勾配形成層１２を敷設する。その後、排水ドレイン管４を設置して、防水層１３を所定の高さまで立ち上げて敷設する。
【００４１】
次に、貫通孔３４部分のバルコニー３の内側から、貫通孔３４にオーバーフロー管３０を挿通させる。このとき、オーバーフロー管３０のフランジ部３２が、立上り壁６の枠組体１４に当接することで、容易に位置決めが行われ、所定の位置に設置することができる。また、排水管３１は、フランジ部３２に所定角度傾斜して形成されているので、フランジ部３２を枠組体１４表面に当接させるだけで、所定の角度で傾斜して配置されることとなる。そして、フランジ部３２の表面を覆うように防水紙１５および防水層１３を敷設する。このとき、フランジ部３２には目荒し加工が施されているので、防水紙１５との接着性が高く、防水性能を向上させることができる。
【００４２】
その後、バルコニー３の内側で、フランジ部３２の上部を覆うように水切り金物１８を取り付ける。そして、水切り金物１８の上部に、外装材１６を取り付ける。ここで、フランジ部３２の上端部は、その周囲が防水材および水切り金物１８で覆われているので、フランジ部３２の上端部周辺には、雨水がかかることはない。したがって、立上り壁６の内部に雨水が浸入することはない。
【００４３】
オーバーフロー管３０の排水管３１が外装材１６を貫通する部分の隙間には、排水管３１の外周部を覆うようにシール材３６が充填されている。オーバーフロー管３０の排水管３１の下流側端部３１ｂは、外側の外装材１６から、バルコニー３の外側に向かって突出している。水勾配ｉの水下に位置し、排水ドレイン管４の上方に設けられているオーバーフロー管３０は、排水管３１の下流側端部３１ｂが、横樋２２ａの上方に位置している。なお、オーバーフロー管３０の排水管３１の下流側端部３１ｂは、横樋２２ａの上方に位置していなくてもよい。
【００４４】
なお、水勾配ｉに対して両側部に設けられているオーバーフロー管３０の下部には、雨樋は設けられていないが、そもそも、オーバーフロー管３０は、暴風雨などの時にしか、雨水が流れないので、雨樋はなくてもよい。
【００４５】
本実施の形態では、オーバーフロー管３０は、水勾配ｉの水下に位置する立上り壁６と両側面の立上り壁６に設けられているが、この取り付け場所および個数はこれに限られるものではない。取り付け個数は予想される排水量に応じて決定されればよく、取り付け個数の少ない場合は、両側面の立上り壁６に設ければよい。このように、水下から離れた両側面の立上り壁６に、オーバーフロー管３０を設置しておけば、万一、風による吹き溜りや、流下・堆積・固化による落ち葉やゴミなどで、排水ドレイン管４が詰まったとしても、オーバーフロー管３０が同時に詰まることはない。したがって、本実施の形態のオーバーフロー管３０は、降雨量が非常に多い場合の排水性能の担保としての機能も有することとなる。
【００４６】
次に、前記構成のオーバーフロー管３０およびオーバーフロー排水構造１の作用を説明する。
【００４７】
かかるオーバーフロー管３０およびオーバーフロー排水構造１によれば、オーバーフロー管３０の排水管３１が、水平方向に長い長方形形状の断面を有する構成となっているので、排水口の開口幅を広くすることができるとともに、排水口の高さ寸法を小さくすることができる。これによって、水位が低い状態でも十分な量の雨水を排水することができる。したがって、排水ドレイン管４が詰まった状態で、降雨量が非常に多い場合であっても、雨水の水位が排水管３１の上流側端部３１ａの排水口よりも上側に上がる前に雨水を排水することができるので、雨水の水位が排水口よりも高くなることはない。
【００４８】
さらに、オーバーフロー管３０は、排水管３１の上流側端部３１ａが、バルコニー３に開口するサッシ８の下端部よりも下方に位置するように、立上り壁６に取り付けられているので、雨水の水位は、サッシ８の下端部よりも高くなることはなく、室内に雨水などが浸入するのを確実に防止することができる。
【００４９】
また、オーバーフロー管３０は、立上り壁６の水切り金物１８の下側に設けられているので、雨水の水位が水切り金物１８よりも高くなることはない。したがって、室内だけではなく、立上り壁６の内部にも雨水が浸入することを防止することができる。
【００５０】
さらに、オーバーフロー管３０は、その高さ寸法が小さくなっているので、バルコニーに面するサッシ等の出入口の跨ぎ高さが所定寸法以下に制限されているバリアフリーの建築物に用いた場合でも、所定の高さ内で納めることができ、且つ十分な排水性能を発現することができる。また、バルコニー面積が大きく、大きな排水性能を必要とする場合でも、かかるオーバーフロー管３０によれば、小さい高さ寸法で排水性能を確保できる。したがって、設計制限を広げることができ、設計の幅が広がる。
【００５１】
ここで、図６を参照しながら、従来のオーバーフロー管と本実施の形態のオーバーフロー管の排水状態について説明する。図中、左側に示すように、従来のオーバーフロー管では、排水口が円形であるので、雨水が水位１まで溜まっても、雨水が排水口にかかる面積が小さく、排水できる流量が少ない。そして、所定の排水能力を発現するためには、雨水が水位２まで溜まって排水口部分に水圧がかからなければならない。したがって、バルコニー内での水位が高くなってしまう。これに対して、図中、右側に示すように、本実施の形態のオーバーフロー管では、排水口は横長の長方形であるので、雨水が水位１の状態でも、雨水が排水口にかかる面積は大きいので、排水できる流量が多い。特に、排水口は横長となっているので、低い水位１の状態でも多くの排水面積を得られる。さらに、水位を低く抑えることができるので、排水される雨水の上面は空気と接していることとなり、排水管の内面との間に生じる摩擦力も小さくて済むので、排水効率が高い。
【００５２】
次に、図７乃至図９を参照して、本実施の形態に係るオーバーフロー管３０（図４参照）と従来のオーバーフロー管８１（図１０参照）を用いて、排水性能試験を行った結果について説明する。
【００５３】
従来のオーバーフロー管としては、内径２９ｍｍのパイプ材を有するものを用い、床組みの合板天端からの排水管の芯の高さを１２０ｍｍとしている。本実施の形態に係るオーバーフロー管（改良オーバーフロー管）としては、幅８５ｍｍ、高さ２０ｍｍの角パイプ材を有するものを用い、床組みの合板天端からの排水管の中心高さが１２０ｍｍとしている。オーバーフロー管は、バルコニーの両側面の立上り壁の長手方向中央部に配置されている。オーバーフロー管、１箇所あたりの最大負担面積は、施工基準により下記の（１）式のように算定した。
【００５４】
総負担面積＝平場（床）１０ｍ２＋壁（高さ２．５ｍ×設置壁間口６．６ｍ）／２≒１８．２５ｍ２・・・（１）
【００５５】
そして、各オーバーフロー管について、雨量負担を、５０ｍｍ／ｈ、１００ｍｍ／ｈ、１６０ｍｍ／ｈ、２００ｍｍ／ｈとして、順次排水性能試験を行った。ここで、１６０ｍｍ／ｈは、国内における最大雨量と略同等の水量を示している。なお、この排水性能試験は、オーバーフロー管のみでの排水を想定して行っている。
【００５６】
従来のオーバーフロー管では、雨量負担が５０ｍｍ／ｈ（実験水量１５Ｌ／ｍｉｎ）の場合、Ａ点のドレイン部では、床組みの合板天端からの高さが１３６．５ｍｍ（床仕上げ面からの高さが８７ｍｍ）となり、Ｂ点の側溝部水上部分では、合板天端からの高さが１３７ｍｍ（床仕上げ面からの高さが９３ｍｍ）となり、Ｃ点の一般部水上部分では、合板天端からの高さが１３４ｍｍ（床仕上げ面からの高さが７１ｍｍ）となる。なお、雨水の水位は、静状態では、どの地点でも同一であるが、排水性能試験では、水を継続的に供給しているので、水下側の水位が若干高くなっている。このとき、雨水の水位は、排水口の上端に届いておらず、排水口が冠水しない状態となっている。ここで、サッシの下端部の高さは、合板天端から１６０ｍｍであるので、室内に雨水が浸入することはない。
【００５７】
次に、雨量負担が１００ｍｍ／ｈ（実験水量３０Ｌ／ｍｉｎ）の場合、Ａ点のドレイン部では、床組みの合板天端からの高さが１６９．５ｍｍ（床仕上げ面からの高さが１２０ｍｍ）となり、Ｂ点の側溝部水上部分では、合板天端からの高さが１６９ｍｍ（床仕上げ面からの高さが１２５ｍｍ）となる。このとき、雨水の水位は、さらに、上昇中である。ここで、サッシの下端部の高さは、合板天端から１６０ｍｍであるので、既に水位はサッシを超えており、室内に雨水が浸入してしまう結果となる。
【００５８】
本発明のオーバーフロー管では、雨量負担が５０ｍｍ／ｈ（実験水量１５Ｌ／ｍｉｎ）の場合、Ａ点のドレイン部では、床組みの合板天端からの高さが１１９ｍｍ（床仕上げ面からの高さが６９．５ｍｍ）となり、Ｂ点の側溝部水上部分では、合板天端からの高さが１１９ｍｍ（床仕上げ面からの高さが７５ｍｍ）となり、Ｃ点の一般部水上部分では、合板天端からの高さが１１６ｍｍ（床仕上げ面からの高さが５３ｍｍ）となる。このとき、雨水の水位は、排水口の上端から下方に４ｍｍの高さとなっており、排水口が冠水しない状態となっている。ここで、サッシの下端部の高さは、合板天端から１６０ｍｍであるので、室内に雨水が浸入することはない。
【００５９】
次に、雨量負担が１００ｍｍ／ｈ（実験水量３０Ｌ／ｍｉｎ）の場合、Ａ点のドレイン部では、床組みの合板天端からの高さが１２６ｍｍ（床仕上げ面からの高さが７６．５ｍｍ）となり、Ｂ点の側溝部水上部分では、合板天端からの高さが１２６ｍｍ（床仕上げ面からの高さが８２ｍｍ）となり、Ｃ点の一般部水上部分では、合板天端からの高さが１２３ｍｍ（床仕上げ面からの高さが６０ｍｍ）となる。このとき、雨水の水位は、排水口の上端に届いておらず、排水口が冠水しない状態となっている。ここで、サッシの下端部の高さは、合板天端から１６０ｍｍであるので、室内に雨水が浸入することはない。
【００６０】
次に、雨量負担が１６０ｍｍ／ｈ（実験水量４９Ｌ／ｍｉｎ）の場合、Ａ点のドレイン部では、床組みの合板天端からの高さが１３９ｍｍ（床仕上げ面からの高さが８９．５ｍｍ）となり、Ｂ点の側溝部水上部分では、合板天端からの高さが１３９ｍｍ（床仕上げ面からの高さが９５ｍｍ）となり、Ｃ点の一般部水上部分では、合板天端からの高さが１３６ｍｍ（床仕上げ面からの高さが７３ｍｍ）となる。このとき、雨水の水位は、排水口の上端より上側になっているが、排水口部分には所定の水圧がかかって排水量が増加して、降雨量と排水量がバランスされて水位が安定した状態となっている。ここで、サッシの下端部の高さは、合板天端から１６０ｍｍであるので、室内に雨水が浸入することはない。なお、雨量負担１６０ｍｍ／ｈは、国内における略最大雨量を示しており、この雨量で雨水の浸入がなければ問題ない。
【００６１】
しかし、ここで、雨水の室内への浸入防止の実効性をさらに確認するために、雨量負担が２００ｍｍ／ｈ（実験水量６１Ｌ／ｍｉｎ）の場合の排水性能試験も行った。その結果は、Ａ点のドレイン部では、床組みの合板天端からの高さが１５２ｍｍ（床仕上げ面からの高さが１０２．５ｍｍ）となり、Ｂ点の側溝部水上部分では、合板天端からの高さが１５２ｍｍ（床仕上げ面からの高さが１０８ｍｍ）となり、Ｃ点の一般部水上部分では、合板天端からの高さが１４９ｍｍ（床仕上げ面からの高さが８６ｍｍ）となる。このときも、雨水の水位は、排水口の上端より上側になっているが、排水口部分には所定の水圧がかかって排水量が増加して、降雨量と排水量がバランスされて水位が安定した状態となっている。ここで、サッシの下端部の高さは、合板天端から１６０ｍｍであるので、室内に雨水が浸入することはない。雨量負担２００ｍｍ／ｈは、国内における最大雨量よりも大幅に多い数値であるので、この雨量で雨水の浸入がなければ、確実に雨水の浸入を防止することができる。
【００６２】
以上の結果より、本発明のオーバーフロー管３０によれば、室内に雨水が浸入するのを防止できることが実証された。
【００６３】
本実施の形態に係るオーバーフロー管３０によれば、排水管３１を断面長方形形状に形成しているので、縦横のラインで模様が構成されることの多い外壁のデザインと調和させることが容易である。これによって、住宅全体としてのデザイン性が高まり、美観を得ることが可能となる。
【００６４】
また、排水管３１の上流側端部３１ａにはフランジ部３２が形成されているので、オーバーフロー管３０の取付け作業を容易に且つ正確に行うことができる。
【００６５】
さらに、排水管３１は、フランジ部３２に対して所定角度傾斜して形成されているので、フランジ部３２を立上り壁６に当接させて設置するといった簡単な作業で、オーバーフロー管３０の位置決めを行うことができ、排水管３１の下流側端部３１ｂが上流側端部３１ａよりも下方になるように所定の角度で配置することができる。このように、排水管３１が傾斜していることによって、雨水は、排水管３１の傾斜に沿って外側に流れることとなり、雨水が内部側へ逆流するのを防止することができる。
【００６６】
また、排水管３１が、バルコニー３の立上り壁６の壁厚よりも所定長さ長く形成されているので、フランジ部３２を立上り壁６に当接させて設置するといった簡単な作業で、排水管３１の下流側端部３１ｂが立上り壁６の外側壁面よりも外方に突出するように、オーバーフロー管３０を設置できる。これによって、バルコニー３の立上り壁６の外側壁面を伝ってきた雨水が排水管３１の内部に浸入するのを防止することができる。さらに、雨水は、排水管３１の下流側端部３１ｂから滴下することとなるので、排水管３１からの雨水が壁面を垂れ流れることはなく、外壁に雨水の垂れによる筋状の汚れが発生するのを防止することができる。
【００６７】
また、フランジ部３２には、その表面および裏面に目荒し加工が施されているので、防水層１３との接着性が高く、防水性能を向上させることができ、バルコニー３の施工精度と施工性の向上を達成することができる。
【００６８】
以上、本発明を実施するための形態について説明したが、本発明は前記実施の形態に限定されず、本発明の趣旨を逸脱しない範囲で適宜設計変更が可能である。例えば、本実施の形態では、排水管３１の下流側端部３１ｂの排水落下側面が切り欠かれているが、上面が切り欠かれるように構成してもよい。この場合であっても、排水管は、下流側端部が下方になるように傾斜して形成されているので、排水管内に、バルコニー３の外側から、雨水が流入したとしても、その雨水が、バルコニー３の内側（排水管３１の上流側）に逆流することはない。
【００６９】
また、本実施の形態では、木造住宅２に形成されたバルコニー３に、オーバーフロー管３０を設けた例を挙げて説明したが、かかるオーバーフロー管が設けられるのは、木造住宅のバルコニーに限られるものではなく、鉄骨造、軽量鉄骨造、鉄筋コンクリート造などの他の構造の住宅に形成されたバルコニーであっても適用できるのは勿論である。
【図面の簡単な説明】
【００７０】
【図１】本発明に係るオーバーフロー排水構造を備えたバルコニーを示した斜視図である。
【図２】図１のバルコニーを内側から見た斜視図である。
【図３】本発明に係るオーバーフロー排水構造を備えたバルコニーを示した断面図である。
【図４】（ａ）は本発明に係るオーバーフロー管を上流側端部から示した斜視図、（ｂ）は本発明に係るオーバーフロー管を下流側端部から示した斜視図である。
【図５】本発明に係るオーバーフロー管を示した側面図である。
【図６】排水管の断面を比較するための正面図である。
【図７】排水性能試験の条件を示した平面図である。
【図８】排水性能試験の条件を示した断面図である。
【図９】排水性能試験の結果を示した一覧表である。
【図１０】従来のオーバーフロー管を示した斜視図である。
【符号の説明】
【００７１】
１      オーバーフロー排水構造
３      バルコニー
４      排水ドレイン管
６      立上り壁（バルコニーの壁）
８      サッシ
３０    オーバーフロー管
３１    排水管
３１ａ  上流側端部
３１ｂ  下流側端部
３２    フランジ部
【図１】
2008127846.tif 000003
【図２】
2008127846.tif 000004
【図３】
2008127846.tif 000005
【図４】
2008127846.tif 000006
【図５】
2008127846.tif 000007
【図６】
2008127846.tif 000008
【図７】
2008127846.tif 000009
【図８】
2008127846.tif 000010
【図９】
2008127846.tif 000011
【図１０】
2008127846.tif 000012